(57)【要約】      （修正有）【課題】オゾン油脂分解装置をコンパクトに構成することが可能になり、どのような場所でも簡単に設置することができるオゾン油脂分解装置を提供する。【解決手段】空気に紫外線を照射してオゾンを発生せしめるオゾン発生装置１０と、オゾン発生装置１０に空気を供給するエアポンプ２０と、グリーストラップの底部に配置され、オゾン発生装置１０で発生したオゾンをグリーストラップ内に供給せしめる散気管を設ける。オゾン発生装置１０に、エアポンプ２０から空気を供給するハウジング内に紫外線ランプを設ける。紫外線ランプの安定器をハウジング外に設置した箱状の隔離容器４０の内部に収納する。隔離容器４０の上面からオゾン発生装置１０のハウジングが突出するように設置する。ハウジングに隣接する隔離容器４０の上面にエアポンプ２０を設置する。【選択図】図１
0003167511.tif 000002
【実用新案登録請求の範囲】
【請求項１】
空気に紫外線を照射してオゾンを発生せしめるオゾン発生装置と、該オゾン発生装置に空気を供給するエアポンプと、グリーストラップの底部に配置されオゾン発生装置で発生したオゾンをグリーストラップ内に供給せしめる散気管と、を備えたオゾン油脂分解装置において、
オゾン発生装置は、エアポンプから空気を供給するハウジング内に紫外線ランプを備え、該紫外線ランプに接続する安定器をハウジング外に設置した箱状の隔離容器の内部に収納すると共に、該隔離容器の上面からオゾン発生装置のハウジングが突出するように設置し、該ハウジングに隣接する隔離容器の上面にエアポンプを設置したことを特徴とするオゾン油脂分解装置。
【請求項２】
前記隔離容器は、前記安定器を収納する容器本体と、該容器本体の開口上部を施蓋する放熱用蓋体とで構成され、該放熱用蓋体に前記オゾン発生装置のハウジングを立設した請求項１記載のオゾン油脂分解装置。
【請求項３】
前記オゾン発生装置のハウジングをステンレス材にて筒状に形成すると共に、該ハウジングの下部に空気導入口を設け、ハウジングの上部にオゾン排出口を設けた請求項１記載のオゾン油脂分解装置。
【請求項４】
前記安定器は、収納ボックス内に収納され、該収納ボックスの上蓋にアルミパネルを使用した請求項１記載のオゾン油脂分解装置。
【考案の詳細な説明】
【技術分野】
【０００１】
本考案は、主に、グリーストラップの油分や沈殿物を分解するのに好適なオゾン油脂分解装置に関するものである。
【背景技術】
【０００２】
グリーストラップとは、主に厨房の排水口に備えられ、バスケット、水槽、トラップにより構成されている。厨房から排出された排水は、バスケットを通って水槽に貯水される。食べ物カスや大きなゴミ等の固体はバスケットで受け取られ、液体の排水のみが水槽に溜まる。トラップは、仕切り板を数枚用いて水槽内部が分割され、油分は水槽上部に集まり、水槽下部の排水のみが下水に排出される。
【０００３】
このグリーストラップは定期的な清掃が必要である。バスケットで捕集できなかったゴミ等が水槽の底に沈殿し、油が水槽上部で凝固してしまうからである。この清掃には、スクーパと呼ばれる網などを用いて、沈殿したゴミや油を掬い取る。また、水槽上部で凝固した油分は、グリーストラップ向けの洗剤や油吸着などが提供されているが、べとついた油分の清掃は極めて困難な作業になっている。
【０００４】
そこで、特許文献１や特許文献２に記載のように、オゾンの性質を利用してこのグリーストラップ内の油分や沈殿物を分解する洗浄方法や装置が提案されている。
【０００５】
特許文献１に記載の浄化方法は、グリーストラップに隣接する位置に、エアポンプとオゾン発生装置とを配備し、該オゾン発生装置から得られるオゾンをグリーストラップの底部に配置した散気管に供給し、エアレーションにて浄化する方法である。
【０００６】
また、特許文献２に記載の浄化装置は、オゾン発生器の能力を高めるようにしたもので、平行配置された冷陰極管からなるオゾン発生体を構成し、このオゾン発生体をハウジングの上部から内部に吊下げた装置である。
【先行技術文献】
【特許文献】
【０００７】
【特許文献１】特開２００３−３２０３８３号公報
【特許文献２】特許第４３２０２３６号公報
【考案の概要】
【考案が解決しようとする課題】
【０００８】
特許文献１に記載のごとく、従来の浄化方法では、グリーストラップに隣接する位置に、エアポンプやオゾン発生装置等を個々に設置している。そのため、これらの装置を個別に設置する工事が必要になる。ところが、一般にグリーストラップの周辺スペースは建物によって大きく異なるので、エアポンプやオゾン発生装置等を個々に設置するたびに異なった設置手段が必要になっていた。そのため、設置工事に多くの手間やコストを費やしていた。
【０００９】
一方、特許文献２に記載の浄化装置は、オゾン発生器の能力を高めるために、一対の冷陰極管を平行に配置したものである。そのため、オゾン発生器自体のサイズが大きく嵩張るものになり、スペースが限られているグリーストラップの周辺に設置するには設置工事が更に困難になるおそれがあった。
【００１０】
しかも、オゾンの発生量を増加せしめるには、特許文献２のように、紫外線ランプの出力を高める必要がある。ところが、グリーストラップの浄化ができるように紫外線ランプの出力を高めると、この紫外線ランプからの発熱量が大きくなり、周辺の機器に悪影響を与える不都合があった。そのため、オゾン油脂分解装置をコンパクトにすることは困難になっており、従来では、これらの各装置を個別に配することで、紫外線ランプから発生する熱の弊害を防止していた。
【００１１】
そこで本考案は上述の課題を解消すべく案出されたもので、紫外線ランプの出力を高めながらオゾン油脂分解装置をコンパクトに構成することが可能になり、どのような場所でも簡単に設置することができ、しかも、グリーストラップ内の油脂や沈殿物を十分に分解できる量のオゾンを発生させることができるオゾン油脂分解装置の提供を目的とするものである。
【課題を解決するための手段】
【００１２】
上述の目的を達成すべく、本考案の第１の手段は、空気に紫外線を照射してオゾンを発生せしめるオゾン発生装置１０と、該オゾン発生装置１０に空気を供給するエアポンプ２０と、グリーストラップＰの底部に配置されオゾン発生装置１０で発生したオゾンをグリーストラップＰ内に供給せしめる散気管３０と、を備えたオゾン油脂分解装置において、
オゾン発生装置１０は、エアポンプ２０から空気を供給するハウジング１１内に紫外線ランプ１２を備え、該紫外線ランプ１２に接続する安定器１３をハウジング１１外に設置した箱状の隔離容器４０の内部に収納すると共に、該隔離容器４０の上面からオゾン発生装置１０のハウジング１１が突出するように設置し、該ハウジング１１に隣接する隔離容器４０の上面にエアポンプ２０を設置したことにある。
【００１３】
第２の手段において、前記隔離容器４０は、前記安定器１３を収納する容器本体４１と、該容器本体４１の開口上部を施蓋する放熱用蓋体４２とで構成され、該放熱用蓋体４２に前記オゾン発生装置１０のハウジング１１を立設している。
【００１４】
第３の手段は、前記オゾン発生装置１０のハウジング１１をステンレス材にて筒状に形成すると共に、該ハウジング１１の下部に空気導入口１４を設け、ハウジング１１の上部にオゾン排出口１５を設けたものである。
【００１５】
第４の手段において、前記安定器１３は、収納ボックス１３Ａ内に収納され、該収納ボックス１３Ａの上蓋１３Ｂにアルミパネルを使用したことにある。
【考案の効果】
【００１６】
本考案の請求項１に記載のごとく、紫外線ランプ１２に接続する安定器１３をハウジング１１外に設置した箱状の隔離容器４０の内部に収納すると共に、該隔離容器４０の上面からオゾン発生装置１０のハウジング１１が突出するように設置し、該ハウジング１１に隣接する隔離容器４０の上面にエアポンプ２０を設置したことにより、紫外線ランプの出力を高めながらオゾン油脂分解装置をコンパクトに構成することが可能になった。この結果、どのような場所でも簡単に設置することができ、しかも、グリーストラップ内の油脂や沈殿物を十分に分解できる量のオゾンを発生させることができる。
【００１７】
請求項２によると、隔離容器４０は、前記安定器１３を収納する容器本体４１と、該容器本体４１の開口上部を施蓋する放熱用蓋体４２とで構成され、該放熱用蓋体４２に前記オゾン発生装置１０のハウジング１１を立設しているので、紫外線ランプ１２の出力を高めて高温になっても、ハウジング１１が外部に放熱し、放熱用蓋体４２が放熱した熱を遮断するので、安定器１３に悪影響を与えるおそれは解消された。したがって、グリーストラップ内の油脂や沈殿物を十分に分解できる量のオゾンを発生させることができる。しかも、放熱用蓋体４２に前記オゾン発生装置１０のハウジング１１を立設しているので、放熱用蓋体４２を取り外すと共に、オゾン発生装置１０のハウジング１１も取り外すことが可能になり、紫外線ランプ１２の交換作業も容易に行うことができる。
【００１８】
請求項３により、オゾン発生装置１０のハウジング１１をステンレス材にて筒状に形成すると共に、該ハウジング１１の下部に空気導入口１４を設け、ハウジング１１の上部にオゾン排出口１５を設けたものであるから、ハウジング１１に供給した大容量の空気を効果的にオゾンに変化させることができる。
【００１９】
請求項４により、安定器１３を収納している上蓋１３Ｂのアルミパネルが放熱性を高めているので、熱による安定器１３の故障を更に防止することができる。
【図面の簡単な説明】
【００２０】
【図１】本考案の一実施例を示す正面図である。
【図２】本考案の一実施例を示す平面図である。
【図３】本考案のオゾン発生装置と隔離容器の一実施例を示す縦断面図である。
【図４】本考案の隔離容器の一実施例を示す平断面図である。
【図５】本考案の使用状態を示す概略図である。
【考案を実施するための形態】
【００２１】
以下、本考案を図示例に基づいて説明する。本考案は、グリーストラップＰ内の油脂や沈殿物を分解し、水溶性に変えて排出させるものである（図５参照）。
【００２２】
本考案の基本構成は、空気に紫外線を照射してオゾンを発生せしめるオゾン発生装置１０と、該オゾン発生装置１０に空気を供給するエアポンプ２０と、グリーストラップＰの底部に配置されオゾン発生装置１０で発生したオゾンをグリーストラップＰ内に供給せしめる散気管３０と、そしてオゾン発生装置１０の安定器１３を収納する隔離容器４０とで構成される（図１、図５参照）。
【００２３】
オゾン発生装置１０は、ハウジング１１とハウジング１１内に備えられた紫外線ランプ１２と、ハウジング１１の外部に装着された安定器１３とで構成されている（図３参照）。ハウジング１１は、エアポンプ２０から空気を供給する筒状を成すもので、紫外線を漏らさず、耐候性に優れたステンレス材にて形成している。このハウジング１１の下部には空気導入口１４を設け、後述するエアポンプ２０からハウジング１１内に空気を供給する（図２参照）。また、ハウジング１１の上部にはオゾン排出口１５を設け、後述する散気管３０にオゾンを排出する構造である（図１参照）。
【００２４】
紫外線ランプ１２は冷陰極タイプを使用する。この紫外線ランプ１２は、放電式のオゾン発生装置のような毒性物質となる窒素酸化物は生成せずに空気をオゾンに変化させることができる。しかも、グリーストラップＰに供給したオゾンは、油脂や堆積物を分解した後は酸素に変わるので、グリーストラップＰの油脂を分解するために十分なオゾンを供給しても、オゾンの安全基準を超えることはない。
【００２５】
オゾン発生装置１０の安定器１３は、ハウジング１１外に設置した隔離容器４０の内部に収納されている（図３参照）。この安定器１３は、更に収納ボックス１３Ａに収納されており、該収納ボックス１３Ａの上蓋１３Ｂにアルミパネルを使用したものである（図４参照）。この場合、収納ボックス１３Ａを合成樹脂材で形成し、上蓋１３Ｂのみにアルミパネルを使用するほか、収納ボックス１３Ａ全体をアルミ材で形成することも可能である。
【００２６】
隔離容器４０は、安定器１３を収納する容器本体４１と、該容器本体４１の開口上部を施蓋する放熱用蓋体４２とで構成されている（図１参照）。そして、放熱用蓋体４２の上面からオゾン発生装置１０のハウジング１１が突出するように設置する。また、このハウジング１１に隣接する放熱用蓋体４２の上面にエアポンプ２０を設置している。この隔離容器４０は、耐候性に優れたステンレス材を使用しており、放熱用蓋体４２を容器本体４１に固定ネジ４３で固定する。
【００２７】
エアポンプ２０は、防雨型のブロアーポンプを使用している。図示例では、隔離容器４０の放熱用蓋体４２上に着脱自在に載置しており、エアポンプ２０の交換を容易にしている。また、エアポンプ２０の排出口２１とハウジング１１の空気導入口１４とが最短距離になるようにパイプ２２で連結している（図１参照）。
【００２８】
散気管３０は、グリーストラップＰの底部に配置されオゾン発生装置１０で発生したオゾンをグリーストラップＰ内に供給せしめる部材である（図５参照）。図示例の散気管３０は、ハウジング１１のオゾン排出口１５に連結する連結管３１と、グリーストラップＰの底部に配置した散気口３２とで構成している。
【産業上の利用可能性】
【００２９】
本考案において、オゾン発生装置１０、エアポンプ２０、散気管３０、隔離容器４０は図示例に限定されるものではなく、本考案の要旨を変更しない範囲で任意に変更することができるものである。また、本考案オゾン油脂分解装置は、グリーストラップＰ内の油脂等を分解する他、室内の空気殺菌装置として使用するなど、紫外線ランプ１２やエアポンプ２０の出力を変更するなど、オゾンの発生量を調整することで他の用途にも利用することができる。
【符号の説明】
【００３０】
Ｐ  グリーストラップ
１０  オゾン発生装置
１１  ハウジング
１２  紫外線ランプ
１３  安定器
１３Ａ  収納ボックス
１３Ｂ  上蓋
１４  空気導入口
１５  オゾン排出口
２０  エアポンプ
２１  排出口
２２  パイプ
３０  散気管
３１  連結管
３２  散気口
４０  隔離容器
４１  容器本体
４２  放熱用蓋体
４３  固定ネジ
【図１】
0003167511.tif 000003
【図２】
0003167511.tif 000004
【図３】
0003167511.tif 000005
【図４】
0003167511.tif 000006
【図５】
0003167511.tif 000007